(57)【要約】【課題】人体のどの部分にどれだけの放射線が被曝しているかの情報を三次元で表示する放射線情報の表示方法および表示システムを提供する。【解決手段】本発明の放射線情報の表示方法は、被検体に対して放射線を照射した第１照射量と該第１照射量を照射した被検体の第１部位とを記録し、被検体の第１の三次元形体を作成し、第１の三次元形体（１６０）を表示部に表示するとともに、第１照射量及び第１部位領域を第１の三次元形体に重ねて表示する。【選択図】図５
2007175323.tif 000002
【特許請求の範囲】
【請求項１】
被検体に対して放射線を照射した第１照射量と該第１照射量を照射した前記被検体の第１部位とを記録する第１記録ステップと、
前記被検体の第１の三次元形体を作成する第１形体作成ステップと、
前記第１の三次元形体を表示部に表示するとともに、前記第１照射量及び前記第１部位領域を、前記第１の三次元形体に重ねて表示する表示ステップと
を含むことを特徴とする放射線情報の表示方法。
【請求項２】
前記第１記録ステップと異なるときに、前記被検体に対して放射線を照射した第２照射量と該第２照射量を照射した前記被検体の第２部位とを記録する第２記録ステップを含み、
前記表示ステップは、前記表示部に前記第１の三次元形体に重ねて表示された前記第１照射量及び前記第１部位領域に、前記第２照射量及び前記第２部位領域を重ねて表示することを特徴とする請求項１に記載の放射線情報の表示方法。
【請求項３】
前記第１記録ステップと異なるときに、前記被検体に対して放射線を照射した第２照射量と該第２照射量を照射した前記被検体の第２部位とを記録する第２記録ステップと、
前記第２記録ステップの際に、前記被検体の第２の三次元形体を作成する第２形体作成ステップと、
前記第１の三次元形体と前記第２の三次元形体とを合成し、第３の三次元形体を作成する形体合成ステップとを含み、
前記表示ステップは、前記表示部に前記第３の三次元形体に、前記第１照射量及び前記第１部位領域ならびに前記第２照射量及び前記第２部位領域を重ねて表示することを特徴とする請求項１に記載の放射線情報の表示方法。
【請求項４】
前記形体合成ステップは、前記第１の三次元形体および前記第２の三次元形体の作成時期の古い方を新しい方に合わせて合成することを特徴とする請求項１に記載の放射線情報の表示方法。
【請求項５】
前記第１および第２形体作成ステップは、形体作成装置で得られた前記被検体の画像から、前記被検体の第１および第２の三次元形体を作成することを特徴とする請求項３又は請求項４に記載の放射線情報の表示方法。
【請求項６】
被検体の第１部位に対して第１照射量の放射線を照射する第１の放射線装置と、
前記被検体の三次元形体を作成する形体作成装置と、
前記第１照射量および前記第１部位を前記三次元形体に合わせて表示する表示装置と
を含むことを特徴とする放射線情報の表示システム。
【請求項７】
前記被検体の第２部位に対して第２照射量の放射線を照射する第２の放射線装置を含み、
前記表示装置は、前記三次元形体に重ねて表示された前記第１照射量及び前記第１部位領域に、前記第２照射量及び前記第２部位領域を重ねて表示することを特徴とする請求項６に記載の放射線情報の表示システム。
【請求項８】
前記形体作成装置は、前記第１の放射線装置および前記被検体を撮像して画像を取得する画像取得装置の少なくとも一つを含むことを特徴とする請求項６又は請求項７に記載の放射線情報の表示システム。
【発明の詳細な説明】
【技術分野】
【０００１】
本発明は、２つ以上の放射線診断・治療装置を使った診断・治療に関するもので、具体的には、放射線診断・治療装置の際に、患者がこれまでに浴びている放射線量の三次元情報を蓄積するシステムに関する。
【背景技術】
【０００２】
健康診断においては、例えばＸ線などの放射線を患者に照射して診断するＣＲ装置、ＣＴ装置、ＰＥＴ装置などがあり、また、病気治療においては放射線ビームを患者体内の腫瘍に向けて照射する治療装置などがある。放射線の被曝量に関しては、法令で所定期間内における放射線被曝量（許容線量）が規定されている。
【０００３】
アナログ画像時代には線量の過多はフィルムが真っ黒になるので判断できた。しかし、デジタル画像では線量が過多でも画像は適正な濃度となり，むしろノイズが少ない良好な画質の画像となるので、医師又は放射線技師（操作者）にとって問題のない画像として見過ごされやすい。また、施設における適正な撮影条件を決定する場合においても画質の良い条件を選ぶ傾向が強く、線量を多めに設定する傾向がある。
【０００４】
このため、一病院内では放射線被曝量を考慮するため、ＬＡＮを利用して患者情報その他を伝達する病院情報システム（ＨＩＳ：Hospital Information System）、放射線に関する患者情報管理に関するコンピュータシステム（ＲＩＳ：Radiology Information System）などを利用して診断情報管理などをコンピュータシステムで管理する場合もある。
【０００５】
しかし、患者が他の病院に移送された場合などには、必ずしも放射線被曝量が移送された病院に伝わらない場合も生じる。また、ＨＩＳ又はＲＩＳを使用していてもモダリティが異なる装置であると放射線被曝量の情報連携がうまくいっていない。さらに、法令で規定されている許容線量は、患者の年齢又は人体の部位、例えば大人の手足の関節と妊娠時の女子の腹部とでは基準が大きく異なり、単に患者がどれだけ放射線を被曝しているかの情報では不十分であり、どの部位にどれだけの放射線が被曝しているかの情報が必要であった。
【特許文献１】特開２００５−１６９１２７号公報
【発明の開示】
【発明が解決しようとする課題】
【０００６】
放射線を使った診断・治療を受ける患者にとっては、低被曝は最大の関心ごとの一つである。また、医者又は放射線技術者は、許容線量であったとしても少ない被曝で患者を放射線診断・治療してあげたいと考えている。
【０００７】
そこで、本発明は、人体のどの部分にどれだけの放射線が被曝しているかの情報を三次元で表示する放射線情報の表示方法および表示システムを提供することを目的とする。
【課題を解決するための手段】
【０００８】
第１の観点の放射線情報の表示方法は、被検体に対して放射線を照射した第１照射量と該第１照射量を照射した被検体の第１部位とを記録し、被検体の第１の三次元形体を作成し、第１の三次元形体を表示部に表示するとともに、第１照射量及び第１部位領域を第１の三次元形体に重ねて表示する。この構成により、操作者に対して、放射線の過被曝の危険性を喚起することができる。また、操作者は、放射線の被曝を伴う診断・医療行為を実施することによってもたらされる患者個人の健康状態の改善あるいは社会全体の保健上の便益と、被曝によるリスク等とを考慮することができる。このような表示方法を導入する病院は、患者にやさしい病院とアピールすることにつながる。
【０００９】
第２の観点の放射線情報の表示方法は、第１記録ステップと異なるときに、被検体に対して放射線を照射した第２照射量と第２照射量を照射した被検体の第２部位とを記録する第２記録ステップを含み、表示ステップは、表示部に第１の三次元形体に重ねて表示された第１照射量及び第１部位領域に、第２照射量及び第２部位領域を重ねて表示する。この構成により、操作者は、これまで何度も放射線を被曝している患者に対して、適した診断・医療行為を実施することができる。なお、第１部位領域と第２部位領域とが同じ部位であってもよい。
【００１０】
第３の観点の放射線情報の表示システムは、被検体の第１部位に対して第１照射量の放射線を照射する第１の放射線装置と、被検体の三次元形体を作成する形体作成装置と、第１照射量および前記第１部位を前記三次元形体に合わせて表示する表示装置とを含む。この構成により、
操作者に対して、放射線の過被曝の危険性を喚起することができる。
【００１１】
第４の観点の放射線情報の表示システムは、被検体の第２部位に対して第２照射量の放射線を照射する第２の放射線装置を含み、表示装置が前記三次元形体に重ねて表示された第１照射量及び第１部位領域に、第２照射量及び第２部位領域を重ねて表示する。この構成において、第１部位領域と第２部位領域とが同じ部位であってもよく、第２の放射線装置が第１の放射線装置と同じであってもよい。例えば、同じ放射線装置で何度も同じ部位を診断・治療する必要があるからである。この場合でも、操作者は、患者がこれまで何度も放射線を被曝していることを表示から確認できるので、適した診断・医療行為を実施することができる。
【発明を実施するための最良の形態】
【００１２】
以下、図に示す実施の形態により本発明をさらに詳細に説明する。
（システムの全体構成）
【００１３】
図１は、本発明の一実施形態にかかる放射線の被曝情報を蓄積するシステムである。本実施形態は、大別して、Ｘ線ＣＴ装置１０、デジタルＸ線撮影装置（ＣＲ：Computed Radiography、以下ＣＲ装置という）２０、およびポジトロン断層撮影装置（ＰＥＴ：Positron
Emission Tomography、以下ＰＥＴ装置という）３０が検査装置として配置されている。これらＸ線ＣＴ装置１０、ＣＲ装置２０及びＰＥＴ装置３０は、ＬＡＮケーブル５０で互いに接続されており、さらに、ＬＡＮケーブル５０には被曝情報を蓄積する主演算装置１００が接続されている。本実施形態では、ＬＡＮケーブル５０一定の区切られた領域の通信のみで説明するが、広域のネットワークであるＷＡＮで接続されていてもよく、インターネットに接続されていてもよい。具体的には、日本のある病院にＸ線ＣＴ装置１０が設置され、米国のある病院にＣＲ装置２０が設置されている状況でもよい。また、実施形態では、上記３種類の画像の発生装置を挙げているがこれに限定するものではない。
【００１４】
Ｘ線ＣＴ装置１０は、ＣＴ操作コンソール１１、ＣＴ走査ガントリ１２及びＣＴ撮影寝台１３を具備している。ＣＴ操作コンソール１１では、患者ＨＢの診断の際に、患者ＨＢの部位のＣＴ画像だけではなく、そのＣＴ画像を撮影する際に、患者ＨＢのどの部位をどれくらいの放射線量Ｘ（線量当量Ｈ（Ｓｖ）又は吸収線量Ｄ（Ｇｙ）を含む。以下放射線量Ｘで説明する。）で撮影したかのデータを記録している。
【００１５】
ＣＲ装置２０は、ＣＲ操作コンソール２１及び撮影部２２を具備している。ＣＲ操作コンソール２１では、患者ＨＢの診断の際に、患者ＨＢの部位のＸ線画像だけではなく、そのＸ線画像を撮影する際に、患者ＨＢのどの部位をどれくらいの放射線量Ｘで撮影したかのデータを記録している。
【００１６】
ＰＥＴ装置３０は、ＰＥＴ操作コンソール３１、ＰＥＴ走査ガントリ３２及びＰＥＴ撮影部２２を具備している。ＣＲ操作コンソール２１では、患者ＨＢの診断の際に、患者ＨＢの部位のＰＥＴ画像だけではなく、そのＰＥＴ画像を撮影する際に、患者ＨＢのどの部位をどれくらいの放射線量Ｘで撮影したかのデータを記録している。
【００１７】
ＣＴ操作コンソール１１、ＣＲ操作コンソール２１及びＰＥＴ操作コンソール３１では、患者ＨＢのどの部位にどれくらいの放射線量Ｘが照射されたかが記録されている。この患者ＨＢ名、患者ＨＢの部位及び放射線量Ｘなどが、ＬＡＮケーブル５０を介して主演算装置１００に送られる。主演算装置１００は、モニター１０１、メインコンピュータ１０２及びプリンタ１０３から構成される。さらに、メインコンピュータ１０２は、記録媒体として内部のハードディスク（不図示）だけでなく、持ち運びが可能な外部記録媒体（フレキシブルディスク、ＣＤ−ＲＯＭ、ＤＶＤ-ＲＯＭ、ＵＳＢメモリ、カードなど）１０４に記録することが可能となっている。主演算装置１００内のハードディスク又はＲＯＭには、患者ＨＢの放射線量Ｘの三次元情報を表示したり蓄積したりための画像処理などのソフトウエハが記録されている。
【００１８】
主演算装置１００では、どの患者ＨＢに、それぐらいの放射線量Ｘがどの部位に照射されたかを患者ＨＢの三次元の体全体体型又は一部の体型を含めて記録し蓄積する。記録された患者ＨＢの情報はモニター１０１で医師又は放射線技師は確認することができる。
【００１９】
（メインコンピュータ１０２の第１フローチャート１１０）
図２は、患者ＨＢの放射線の被曝に関して、患者ＨＢの三次元の身体情報とともに放射線量Ｘを表示する第１フローチャート１１０である。
【００２０】
ステップＳ１１１にて、メインコンピュータ１０２は、まず、患者ＨＢを特定する。このフローチャートの説明では患者ＨＢとする。患者ＨＢであることは、図４に示すように電子カルテ１５０などの情報を利用する。電子カルテ１５０には、患者ＨＢ情報１５１と診断治療履歴１５２とが含まれる。患者ＨＢ情報１５１には、患者ＨＢのＩＤ番号、氏名、生年月日、身長及び体重などが含まれており、その患者ＨＢ情報を使って患者ＨＢであることを特定する。
【００２１】
ステップＳ１１２にて、メインコンピュータ１０２は、ＣＴ装置１０のＣＴ操作コンソール１１、ＣＲ装置２０のＣＲ操作コンソール２１、又はＰＥＴ装置３０のＰＥＴ操作コンソール３１のいずれか一つの装置から、診断治療履歴１５２から診断日、放射線量Ｘ、放射線を照射した部位などの情報（以下、放射線量Ｘに関する情報）を受け取る。
【００２２】
ステップＳ１１３にて、メインコンピュータ１０２は、すでに患者ＨＢの放射線量Ｘに関する三次元の身体モデル１６０を蓄積しているか否かを判断する。三次元の身体モデル１６０とは、患者ＨＢの全身体型又は部位体型の三次元データ、つまり患者ＨＢの体型の輪郭である。すでに患者ＨＢの三次元の身体モデル１６０を蓄積しているのであれば、三次元の身体モデル１６０を新たに作成する必要がないのでステップＳ１１７に進み、まだ患者ＨＢの三次元の身体モデル１６０を作成していないので、三次元の身体モデル１６０を新たに作成するためステップＳ１１４に進む。
【００２３】
ステップＳ１１４では、メインコンピュータ１０２は、電子カルテ１５０の情報及びＣＴ装置１０、ＣＲ装置２０又はＰＥＴ装置３０のいずれかの画像情報を入力する。
【００２４】
ステップＳ１１５では、患者ＨＢ情報１５１の身長及び体重、及びＣＴ装置１０又はＰＥＴ装置３０の全身断層像があればその断層像から患者ＨＢの三次元の身体モデル１６０を作成する。身体の一部分の部位しかなければ、その部位だけの患者ＨＢの三次元の身体モデル１６０を作成してもよい。ＣＴ装置１０又はＰＥＴ装置３０の断層像があれば、患者ＨＢの心臓又は肝臓などの内臓の位置の情報を得ることができる。このため三次元の身体モデル１６０には、身体の外周輪郭だけでなく内臓や骨格などの三次元位置情報も含むことができる。
【００２５】
患者ＨＢの三次元の身体モデル１６０を作成する方法として、ＣＲ装置２０のＸ線画像の輪郭から、ＣＴ装置１０又はＰＥＴ装置３０のスカウト（Ｓｃｏｕｔ）画像の輪郭から作成することも可能である。また、図面には記載していないがＭＲＩ装置のスカウト（Ｓｃｏｕｔ）画像を利用してもよい。さらには、一般に使用されるデジタルカメラで患者ＨＢを撮影し、その画像から輪郭抽出する画像処理のソフトウエハを利用して三次元の身体モデル１６０を作成してもよい。スカウト（Ｓｃｏｕｔ）画像、画像取得装置であるデジタルカメラで撮影した画像からは、内臓の三次元位置情報も含むことができず、身体の外周輪郭だけからなる三次元の身体モデル１６０となる。すなわち、三次元の身体モデル１６０を作成する形体作成装置としては、ＣＴ装置１０、ＣＲ装置２０又はＰＥＴ装置３０などの放射線装置からデジタルカメラまでを含まれる。
【００２６】
ステップＳ１１６では、患者ＨＢの三次元の身体モデル１６０に対してステップＳ１１２で取得した放射線量Ｘに関するデータを、三次元の身体モデル１６０の部位に対応して蓄積する。ここで、放射線量Ｘに関するデータとは、放射線量Ｘ自体の値又はルックアップテーブルなどを使い放射線量Ｘの比例した表示に適したデータに変換した値を含むものである。
【００２７】
患者ＨＢの三次元の身体モデル１６０及び放射線量Ｘは、医用画像と通信の標準規格であるＤＩＣＯＭ（Digital Imaging and Communication in Medicine）規格を画像規格として使用することが好ましい。ＤＩＣＯＭ規格は、病院内外で、異なった製造業者の、異なった種類（マルチモダリティ）のデジタル画像機器（画像の発生装置（ＣＴ、ＭＲＩ、超音波画像装置、核医学画像装置、ＣＲ、フィルムディジタイザ等）、画像の保管装置（サーバ等）、画像の表示・処理・診断装置（ＣＲＴ、ワークステーション等）、画像の印刷装置（レーザイメージャ等））を、ネットワーク又は画像保存媒体で相互に接続して、患者ＨＢの画像検査情報のやり取りや、画像データの伝送を可能とする。しかし、これに限られるのではなく、ＪＰＥＧ又はＭＰＥＧなどの画像規格を用いてもよい。
【００２８】
ステップＳ１１７では、すでに患者ＨＢの三次元の身体モデル１６０が存在しているので、すでに蓄積してある患者ＨＢの三次元の身体モデル１６０に対して、さらにステップＳ１１２で取得した放射線量Ｘに関するデータを、身体モデル１６０の部位に対応して蓄積する。すなわち、異なる時期に被曝した放射線量Ｘを互いに関連付けて記録することができる。
【００２９】
ステップＳ１１８では、医者又は放射線技術者が観察できるように、モニター１０１に患者ＨＢの三次元の身体モデル１６０に放射線量Ｘが重ねて表示される。必要があれば、プリンタ１０３で、患者ＨＢの三次元の身体モデル１６０に放射線量Ｘが重ねて表示された図面を印刷することができる。また、患者ＨＢが別の病院に自分の放射線の被曝状態を知らせるために、持ち運びが可能な外部記録媒体１０４にコピーすることができる。
【００３０】
（メインコンピュータ１０２の第２フローチャート１２０）
図３は、患者ＨＢの放射線の被曝に関して、患者ＨＢの三次元情報とともに放射線量Ｘを表示する第２フローチャート１２０である。第１フローチャート１１０と第２フローチャート１２０とが異なる箇所を以下説明する。異なる箇所は、ステップＳ１１３において、すでに患者ＨＢの放射線量Ｘに関する三次元の身体モデル１６０を蓄積している場合である。第１フローチャート１１０と同じステップには同じ符号を第２フローチャート１２０に付してある。
【００３１】
ステップＳ１２１では、メインコンピュータ１０２は、電子カルテ１５０の情報及びＣＴ装置１０、ＣＲ装置２０又はＰＥＴ装置３０のいずれかの画像情報を入力する。
【００３２】
ステップＳ１２２では、ステップＳ１１５と同様に、患者ＨＢ情報１５１の身長及び体重、及びＣＴ装置１０又はＰＥＴ装置３０の全身断層像があればその断層像から患者ＨＢの三次元の身体モデル１６０を作成する。
【００３３】
ステップＳ１２３では、すでに蓄積されてある三次元の身体モデル１６０と、ステップＳ１２２で作成した三次元の身体モデル１６０とを比較する。ほぼ同じ三次元の身体モデル１６０であればそのまま合成する。しかし、大きく三次元の身体モデル１６０が異なることがある。例えば、患者ＨＢが身体の成長が著しい学生であって、すでに蓄積されてある三次元の身体モデル１６０が１年前のものだったとする。この場合には、すでに蓄積されてある三次元の身体モデル１６０（過去の三次元の身体モデル１６０）よりステップＳ１２２で作成した三次元の身体モデル１６０と大きさが大きくなっている。そこで、過去の三次元の身体モデル１６０を今回ステップＳ１２２で作成した三次元の身体モデル１６０に合わせるようにする。そして過去の三次元の身体モデル１６０と今回の三次元の身体モデル１６０とを合成する。
【００３４】
具体的には、過去の三次元の身体モデル１６０から、頭蓋骨、背骨及び骨盤などの主要な骨格画像を取り出し、ステップＳ１２２で作成した三次元の身体モデル１６０から同様に、頭蓋骨、背骨及び骨盤などの主要な骨格画像を取り出す。これらの主要な骨格画像の大きさ（太さ、長さ）を比較し大きさの倍率を求める。そして、その倍率を過去の三次元の身体モデル１６０にかけて、過去の三次元の身体モデル１６０をステップＳ１２２で作成した三次元の身体モデル１６０とほぼ同じ大きさにして、両者を合成する。過去の三次元の身体モデル１６０には、被曝した放射線量Ｘが身体の部位と関連付けられているため、同じ倍率をかけて身体の部位も移動させる。なお、身体の部位が、心臓、胃、肝臓などの内臓である場合には、画像処理でこれら内臓の形状が特定しやすい。このような身体の部位に対しては、骨格画像の大きさから求められた倍率をかけるのではなく、ステップＳ１２２で作成した三次元の身体モデル１６０の個々の内臓の位置に合わせて合成することが可能である。
【００３５】
また、過去の三次元の身体モデル１６０が、デジタルカメラで撮影した画像から作成された身体の外周輪郭だけからなる三次元の身体モデル１６０であり、ステップＳ１２２で作成した三次元の身体モデル１６０がＣＴ装置１０の断層像で作成された内臓の三次元の位置情報も含むものである場合には、より細かい三次元の位置情報を有する三次元の身体モデル１６０に合わせて合成することができる。
【００３６】
ステップＳ１２４では、患者ＨＢの三次元の身体モデル１６０に対してステップＳ１１２で取得した放射線量Ｘに関するデータを、合成された三次元の身体モデル１６０の部位に対応して蓄積する。これにより、過去の三次元の身体モデル１６０に蓄積されていた放射線量Ｘに加え、新たな放射線量Ｘが身体の部位と関連付けられて蓄積される。そして、ステップＳ１１８で、医者又は放射線技術者が観察できるように、モニター１０１に患者ＨＢの合成された三次元の身体モデル１６０に放射線量Ｘが重ねて表示される。
【００３７】
（モニター１０１で表示される三次元の身体モデル１６０の表示例）
図５は、モニター１０１で表示される三次元の身体モデル１６０に放射線量Ｘを重ねて表示した例である。なお、三次元の身体モデル１６０は、斜視像、断層像などの身体モデルを含むが、図５では、身体の正面像と側面像とから表示される身体モデルを示す。また、放射線を被曝している箇所は灰色で示し、放射線量Ｘが大きくなるにつれて灰色の色が濃くなるように描いてある。
【００３８】
図５のＡは、Ｘ線ＣＴ装置１０で患者ＨＢの頭部のみをヘリカルスキャンにより撮影した場合である。対象部位である頭部が均一に放射線量Ｘを被曝した状態を示している。
【００３９】
図５のＢは、ＣＲ装置２０で患者ＨＢの肺部を背中側から撮影した場合である。対象部位である背中から腹部に向けて放射線量Ｘを被曝した状態を示している。背中側から一方方向に放射線を被曝しているので背中側の方が腹部側より多くの放射線量Ｘを被曝している。このため、図５のＢは、背中から腹部に向けて灰色が薄くなるように放射線量Ｘが描かれている。
【００４０】
図５のＣは、ＰＥＴ装置３０で患者ＨＢを撮影した場合である。ＰＥＴ装置３０は、放射性薬剤の投与により人体内部の特定の臓器に分布した放射性元素の位置を体外から放出される放射線により測定する。つまり、陽電子（ポジトロン）を放出する放射性同位元素で標識をつけた放射性薬剤を放射線源にしている。図５のＣでは、脳および胃の特定部位に集中した放射性薬剤からの放射線量Ｘにより患者ＨＢが被曝した状態を示している。放射性薬剤が特定部位に集中した箇所が、放射線量Ｘが一番多く、特定部位から距離が離れるにつれて放射線量Ｘが少なくなる。このため、図５のＣは、特定部位から距離が離れるにつれて灰色が薄くなるように放射線量Ｘが描かれている。
【００４１】
図２のステップＳ１１７又は、図３のステップＳ１２３及びステップＳ１２４において、すでに蓄積してある患者ＨＢの放射線量Ｘに関するデータと新たな放射線量Ｘに関するデータとを、三次元の身体モデル１６０の部位に対応して重ねて表示する。すると、図５のモニター１０１に描かれたような三次元の身体モデル１６０になる。頭部に関しては、Ｘ線ＣＴ装置１０で頭部が均一に被曝した放射線量ＸとＰＥＴ装置３０で頭部が特定部位から放射状に被曝した放射線量Ｘとが、重ねて表示されている。腹部に関しては、ＣＲ装置２０で背中から腹部に向けて被曝した放射線量ＸとＰＥＴ装置３０で胃から放射状に被曝した放射線量Ｘとが、重ねて表示されている。
【００４２】
患者ＨＢがこれまで被曝した放射線量Ｘを蓄積してモニター１０１に表示しているため、何度も被曝している部位は濃い灰色になっている。このため、医師又は放射線技師は患者ＨＢのこれまでの被曝の状態を容易に確認することができる。図５では、放射線量Ｘの被曝状態の多少を灰色の濃淡で表現したが、カラー画像で色の識別で表現してもよい。また、モニター１０１上で三次元の身体モデル１６０の特定部位にマウスポインター（不図示）を移動させると、放射線量Ｘ（線量当量Ｈ（Ｓｖ）又は吸収線量Ｄ（Ｇｙ））の数値を同時に表示するようにしてもよい。
【００４３】
（三次元の身体モデル１６０の利用方法）
図６は、放射線量Ｘに関するデータ含む三次元の身体モデル１６０の利用方法を示したフローチャート１３０である。なお、このフローチャート１３０では、主演算装置１００を使ったシステムではなく、Ｘ線ＣＴ装置１０のみ単体で本発明を適用する例である。
【００４４】
ステップＳ１３１では、患者ＨＢは、新たな病院においてＣＴ装置１０で診断してもらうため、別の病院でコピーしてもらった自分の放射線量Ｘの被曝状態を記録した外部記録媒体１０４を新たな病院に持参する。新たな病院内の医師又は放射線技師は、外部記録媒体１０４を受け取りＣＴ操作コンソール１１に挿入する。ＣＴ操作コンソール１１がまだ三次元の身体モデル１６０の放射線量Ｘの蓄積に対応していない場合に備えて、外部記録媒体１０４に三次元の身体モデル１６０の表示及び作成、並びに放射線量Ｘの蓄積に関するソフトウエアを入れておいてもよい。
【００４５】
ステップＳ１３２では、ＣＴ操作コンソール１１が放射線量Ｘに関する三次元の身体モデル１６０の蓄積データの受取り、ステップＳ１３３で三次元の身体モデル１６０の蓄積データをＣＴ操作コンソール１１のモニターに表示する。
【００４６】
ステップＳ１３４において、医師又は放射線技師は、初めての患者ＨＢがこれまでどのくらい放射線量Ｘをその部位に被曝してきたかを、モニターを見ながら確認することができる。これにより、医師又は放射線技師は、患者ＨＢのどの部位に対して放射線量Ｘをどれぐらい照射できるかをＣＴ操作コンソール１１で設定する。患者ＨＢは、ＣＴ装置１０による不必要な被曝を避けることができ、医師又は放射線技師は必要な医療被曝を最小にする為ための配慮ができるようになる。なお、医師又は放射線技師は、ＣＴ装置１０を使用しないでその他の代替の診療手法によって得られる利益ならびにその診療手法に伴うリスクなども検討することができる。
【００４７】
ステップＳ１３５において、今回ＣＴ装置１０によって被曝した放射線量Ｘに関するデータを、患者ＨＢの部位（三次元位置情報）と関連付けて蓄積する。ステップＳ１３６において、医師又は放射線技師はステップＳ１３４で設定した結果が適当であったか否かを確認するため、別の病院で蓄積してあった患者ＨＢの放射線量Ｘに関するデータと今回の放射線量Ｘに関するデータとを重ねてＣＴ操作コンソール１１のモニターに表示する。
【００４８】
なお、ステップＳ１３６の表示を、ステップＳ１３４中に入れたフローチャートでもよい。医師又は放射線技師は、患者ＨＢのどの部位に対して放射線量Ｘをどれぐらい照射できるかをＣＴ操作コンソール１１で設定する。そして、ＣＴスキャンを実際に行う前に前もって、どの部位がどのくらいの放射線量Ｘの被曝になるかをＣＴ操作コンソール１１のモニターに表示するのである。ある部位の放射線被曝が制限値を超えてしまうおそれがあるか否かを前もって知ることができる。放射線被曝が制限値を超えるのであれば、ＣＴ操作コンソール１１で放射線量Ｘを設定し直し、患者にとって安全な範囲で放射線量Ｘを照射できる。
【産業上の利用可能性】
【００４９】
以上の実施形態では、図１において互いに異なる放射線装置で構成していたが、同じ種類の放射線装置で構成してもよい。また放射線を患者ＨＢに照射して診断する放射線診断装置で説明したが、病気治療においては放射線ビームを患者ＨＢ体内の腫瘍に向けて照射する放射線治療装置に本発明を適用してもよい。さらに、放射線診断装置と放射線治療装置との組み合わせでも本発明を適用できる。
【００５０】
また、以上の実施形態では、放射線量Ｘ（線量当量Ｈ（Ｓｖ）又は吸収線量Ｄ（Ｇｙ））で説明してきたが、複数のＸ線ＣＴ装置１０で構成する場合には、ＣＴ値から算出した被曝量に相当する値を適用してもよい。さらに、骨、臓器などのＸ線鋭敏度がわかれば、Ｘ線照射に対するよるＸ線鋭敏度を三次元の身体モデル１６０に加えて表示してもよい。なお、放射線を照射した照射量という概念には、ＣＴ値から換算した被曝量を含む。
【００５１】
三次元の身体モデル１６０と放射線量Ｘとを外部記録媒体に記録することを主に説明してきたが、内部のハードディスクに記録するようにしてもよく、いわゆる図４で示した電子カルテに、三次元の身体モデル１６０と放射線量Ｘの蓄積情報とを加えて記録するようにしてもよい。当業者は、各請求項の範囲及び技術思想から逸脱しない限り、上述の実施形態を種々異なって適合化して、変更することができる。
【図面の簡単な説明】
【００５２】
【図１】本発明の一実施形態にかかる放射線の被曝情報を蓄積するシステム図。
【図２】患者ＨＢの三次元情報とともに放射線量Ｘを表示する第１フローチャート。
【図３】患者ＨＢの三次元情報とともに放射線量Ｘを表示する第２フローチャート。
【図４】電子カルテを示す図。
【図５】モニターで表示される三次元の身体モデルに放射線量Ｘを重ねた図。
【図６】放射線量Ｘに関するデータ含む三次元の身体モデルの利用方法を示したフローチャート。
【符号の説明】
【００５３】
１０  ……  Ｘ線ＣＴ装置
１１  ……  ＣＴ操作コンソール
２０  ……  ＣＲ装置
２１  ……  ＣＲ操作コンソール
３０  ……  ＰＥＴ装置
３１  ……  ＰＥＴ操作コンソール
１００  ……  主演算装置
１０１  ……  モニター、
１０２  ……  メインコンピュータ
１０３  ……  プリンタ
１５０  ……  電子カルテ
１６０  ……  三次元の身体モデル
ＨＢ  ……  患者
【図１】
2007175323.tif 000003
【図２】
2007175323.tif 000004
【図３】
2007175323.tif 000005
【図４】
2007175323.tif 000006
【図５】
2007175323.tif 000007
【図６】
2007175323.tif 000008